(57)【特許請求の範囲】
【請求項１】
体内に注入された放射性物質が放射する放射線の強度を計測する放射線検出装置であって、
放射線を受けるプローブの出力に基づいて、放射線強度のデータを得る放射線検出装置本体と、
前記放射線検出装置本体とは別体の装置として設けられた表示装置と、
を備え、
前記表示装置は、
前記放射線強度データを表示する表示装置本体と、
前記表示装置本体を着脱自在に保持し取付け対象物に対し取り付けられる第１支持部材と、前記表示装置本体を着脱自在に保持し平面上に設置される台としての第２支持部材と、を含む支持部材群と、
を有し、
前記第１支持部材は、弾性材料で作られた取付け部を有し、当該取付け部を前記取付け対象物としてのパイプに押し付けて嵌め込むことにより前記表示装置を前記パイプに取り付けることが可能であり、且つ、当該取付け部を前記取付け対象物としての腕に押し付けて嵌め込むことにより前記表示装置を前記腕に取り付けることが可能であり、
前記第１支持部材及び前記第２支持部材は、いずれも前記表示装置本体の向きを変更可能なものであり、
前記支持部材群の中から、使用する支持部材が選択される、ことを特徴とする放射線検出装置。
【請求項２】
請求項１に記載の放射線検出装置であって、
前記計測された放射線強度の計測値を読み上げる音声出力手段を備えることを特徴とする放射線検出装置。
【請求項３】
請求項１に記載の放射線検出装置であって、
前記表示装置は、この放射線検出装置を使用するユーザの指示した形式に従って放射線強度の計測データを表示することを特徴とする放射線検出装置。
【請求項４】
体内に注入された放射性物質が放射する放射線の強度を計測する放射線検出装置の表示装置であって、放射線を受けるプローブの出力に基づいて放射線強度データを得る前記放射線検出装置の放射線検出装置本体とは別体の装置として設けられた表示装置において、
前記放射線検出装置本体で得られた前記放射線強度データを表示する表示装置本体と、
前記表示装置本体を着脱自在に保持し取付け対象物に対し取り付けられる第１支持部材と、前記表示装置本体を着脱自在に保持し平面上に設置される台としての第２支持部材と、を含む支持部材群と、
を有し、
前記第１支持部材は、弾性材料で作られた取付け部を有し、当該取付け部を前記取付け対象物としてのパイプに押し付けて嵌め込むことにより前記表示装置を前記パイプに取り付けることが可能であり、且つ、当該取付け部を前記取付け対象物としての腕に押し付けて嵌め込むことにより前記表示装置を前記腕に取り付けることが可能であり、
前記第１支持部材及び前記第２支持部材は、いずれも前記表示装置本体の向きを変更可能なものであり、
前記支持部材群の中から、使用する支持部材が選択される、ことを特徴とする放射線検出装置の表示装置。
【発明の詳細な説明】
【０００１】
【発明の属する技術分野】
本発明は、体内に注入された放射性物質が放射する放射線の強度を、放射線センサを備えるプローブを用いて計測する放射線検出装置に関する。
【０００２】
【従来の技術】
乳癌を中心とした腫瘍の外科手術においては、摘出する腫瘍部位を最小限にとどめる術法が検討されている。腫瘍部の摘出範囲を決定するにあたって重要な体外からのリンパ節検出法が検討されている。それは、腫瘍部に放射性物質を注入し、一定時間後に腫瘍に最も近いリンパ節を放射線検出装置を用いて体外から検索／検出し、発見されたリンパ節での腫瘍転移の有無を迅速病理診断により判定し、その結果により腫瘍の摘出範囲を決定している。
【０００３】
この放射線検出装置は、放射線センサを内部に備えるプローブと、このプローブとケーブルを介して接続し、プローブが出力する放射線強度の検出値が入力され、その検出値の表示、記憶などを行う放射線検出装置本体とを主要部として構成される。また、放射線検出装置本体が使用者から遠い位置にあり、検出値の表示が見えない場合には、放射線検出装置本体とは別体の小型の表示装置を見やすい位置に置き、この放射線検出装置本体からケーブルを介して表示装置に放射線強度検出値のデータを送り表示していた。
【０００４】
【発明が解決しようとする課題】
しかしながら、上述した別体の表示装置は、単に直方体のケースの一面に計測データを表示する表示部を備えたものであった。このため、例えばベッド上に被験者を横たわらせ放射線検査を行う場合には、このベッドの上またはベッドの周囲にある医療器具を置くテーブルの上などに表示装置を置いていた。しかし、このような場合には、表示装置の位置は固定されず、表示装置の表示部は使用者にとって見やすくなかった。また、表示装置をテーブルの上などに置くときには、表示装置の直方体のケースのいずれか一面をテーブルの平面に当接するようにしか置くことができない。したがって、表示装置の表示部が向く方向はその表示装置のケースの形状で決まってしまい、表示部の向きが使用者にとって見やすい方向とならない場合があった。
【０００５】
本発明は、上述の課題に鑑みてなされたものであり、放射線検出装置本体とは別体の表示装置を見やすく設置することを目的とする。
【０００６】
【課題を解決するための手段】
本発明に係る装置は、体内に注入された放射性物質が放射する放射線の強度を計測する放射線検出装置であって、放射線を受けるプローブの出力に基づいて、放射線強度のデータを得る放射線検出装置本体と、前記放射線検出装置本体とは別体の装置として設けられた表示装置と、を備え、前記表示装置は、前記放射線強度データを表示する表示装置本体と、前記表示装置本体を着脱自在に保持し取付け対象物に対し取り付けられる第１支持部材と、前記表示装置本体を着脱自在に保持し平面上に設置される台としての第２支持部材と、を含む支持部材群と、を有し、前記第１支持部材は、弾性材料で作られた取付け部を有し、当該取付け部を前記取付け対象物としてのパイプに押し付けて嵌め込むことにより前記表示装置を前記パイプに取り付けることが可能であり、且つ、当該取付け部を前記取付け対象物としての腕に押し付けて嵌め込むことにより前記表示装置を前記腕に取り付けることが可能であり、前記第１支持部材及び前記第２支持部材は、いずれも前記表示装置本体の向きを変更可能なものであり、前記支持部材群の中から、使用する支持部材が選択される、ものである。これにより、放射線検出装置本体とは別体の表示装置を対象物に固定することができ、表示装置を見やすく設置することができる。
【００１０】
前記各支持部材と前記表示装置本体は着脱可能であることが好ましい。これにより、状況に応じて適切な支持部材に付け替えることができる。
【００１１】
後述の実施形態においては、体内に注入された放射性物質が放射する放射線の強度を計測する放射線検出装置の表示装置であって、放射線を受けるプローブの出力に基づいて放射線強度データを得る前記放射線検出装置の本体とは別体の装置として設けられた表示装置は、前記放射線検出装置本体で得られた前記放射線強度データを表示する表示装置本体と、前記表示装置本体を取付け対象物に対し取り付けて固定する支持部材と、を備えるものである。
【００１２】
後述の実施形態においては、体内に注入された放射性物質が放射する放射線の強度を計測する放射線検出装置の表示装置であって、放射線を受けるプローブの出力に基づいて放射線強度データを得る前記放射線検出装置の本体とは別体の装置として設けられた表示装置は、前記放射線検出装置本体で得られた前記放射線強度データを表示する表示装置本体と、前記表示装置本体を少なくとも二つの姿勢に保持可能な支持部材と、を備えるものである。
【００１３】
後述の実施形態においては、体内に注入された放射性物質が放射する放射線の強度を、放射線センサを備えたプローブを用いて計測する放射線検出装置は、前記計測された放射線強度の計測値を読み上げる音声出力手段を備えるものである。これにより、放射線検出装置の周囲にいる者は、放射線検出装置が計測する放射線強度の計測値を正確に認識することができる。
【００１４】
後述の実施形態においては、体内に注入された放射性物質が放射する放射線の強度を、放射線センサを含むプローブを用いて計測する放射線検出装置は、この放射線検出装置を使用するユーザの指示した形式に従って放射線強度の計測データを表示する表示手段を備えるものである。これにより、放射線検出装置の計測データの表示をユーザが任意に設定することができる。
【００１５】
【発明の実施の形態】
以下に、図面を参照して、本発明の実施形態について説明する。
【００１６】
まず、第一の実施形態について説明する。図１は、第一の実施形態に係る放射線検出装置の斜視図である。本実施形態の放射線検出装置は、大別して、内部に放射線センサを備え放射線を検出するプローブ６８と、プローブ６８とケーブルによって接続されており放射線検出値の表示、記憶などを行う放射線検出装置本体７０と、放射線検出装置本体７０とは別体である小型の表示装置１０とで構成される。
【００１７】
このうち、表示装置１０を図２に示す。表示装置１０は、表示装置本体１２と支持部材１４とで構成される。表示装置本体１２は、略直方体形状のケース１６内部に、表示部１８及びスピーカ２７を一面に備える回路基板が収納されて形成されている。表示部１８はケース１６に設けられた開口にあわせて配置され、そこに示される数値やグラフが前記開口から読み取り可能となっている。また、スピーカ２７はケース１６に設けられた複数の貫通穴２９にあわせて配置され、これらの貫通穴２９を通して音声を出力可能となっている。ケース１６において開口がある面の左右に位置する２つの側面にはそれぞれ円柱状の突部２０が設けられている。支持部材１４は、これらの突部２０に対応して略Ｃの字形の２つの保持部２４が設けられ、この保持部２４が突部２０と係合することにより表示装置本体１２を保持する略コの字形の保持部材２２と、この保持部材２２と接続固定され、取付け対象物の一例であるパイプ状の構造物、例えばベッドの一部であるパイプ３４に取り付け可能な形状の取り付け部２６とで構成される。ここで取付け対象物とは、本実施形態ではベッドのパイプであるが、これ以外には、手術用の器具を置くテーブル、または放射線検出装置を使用する者の腕など使用者にとって見やすい位置にある様々な物に取り付けることができる。表示装置本体１２の２つの突部２０をそれぞれ支持部材１４の保持部２４にはめ込むことにより、突部２０と保持部２４が係合し、表示装置本体１２は保持部材２２に回動可能に保持される。また、突部２０は保持部２４から取り外すこともでき、着脱可能である。また、保持部材２２は、支持部材１４に対して回動可能な構造となっている。ケース１６の左右各側面にはソケット２８が設けられており、このソケット２８に放射線検出装置本体から延設されるケーブル３０の一端に固定されたコネクタ３２を差し込むことにより、ケース１６内部の回路基板と放射線検出装置本体とが接続され、放射線検出装置本体から回路基板に放射線強度の計測値データが送信される。使用者は使用状況に応じて左右２つのソケット２８のいずれかを選択し、コネクタ３２をソケット２８に差し込むことができる。
【００１８】
上述した表示装置１０の取り付け部２６は弾性材料で作られており、取付け対象物であるベッドのパイプ３４に押し付けて嵌め込むことにより、図３に示すようにパイプ３４に取り付ける。これにより、表示装置１０を見やすい位置にあるパイプ３４に固定して設置することができる。例えば、放射線検査の検査者は、プローブを手に持ち放射線の発生源を探索する作業に集中しがちであるが、検査者の視界にあるベッドのパイプ３４に本実施形態の表示装置１０を取り付けることにより、検査者は計測結果を見ながら作業をすることができる。また、この表示装置１０は、検査者の周囲にいる放射線検査の補助者にとって見やすい位置に取り付けてもよい。
【００１９】
また、本実施形態では、表示装置１０の表示装置本体１２が、支持部材１４に対して回動可能に取り付けられているため、表示装置本体１２の姿勢を任意に変えて、表示装置本体１２の表示部１８を検査者や補助者などの放射線検出装置の使用者に見やすくすることができる。また、簡略化した別の実施形態として、支持部材１４により、表示装置本体１２がその姿勢を二つ姿勢に切り換え可能に保持されるよう構成することもできる。この場合には、表示装置本体１２の姿勢をその二つの姿勢のうち表示装置本体１２の表示部１８が使用者の方向に向くいずれかの姿勢とすればよい。これにより、表示装置本体１２の表示部１８を使用者に見やすくすることができる。
【００２０】
次に、図４を参照して、本発明の第二の実施形態について説明する。図４に示す第二の実施形態では、表示装置本体４２は、第一の実施形態の表示装置本体１２と同じ構成となっており、その支持部材４４は、第一の実施形態の支持部材１４と異なり、腕の手首部分に対応した形状となっている。これにより、使用者は、使用者にとって見やすい位置にある腕に表示装置４０を固定して使用することができる。また、本実施形態においても表示装置本体４２は保持部材４３に回動可能に保持されている。また、上述のように使用者の腕に表示装置４０を固定する場合には、図５に示すように、支持部材４４を腕にはめるリング状のバンドとしてもよい。
【００２１】
また、取付け部４５と保持部材４３が当接する面に、マジックテープ（登録商標）などの面ファスナーをそれぞれ貼付して、取付け部４５に対して保持部材４３を着脱可能に接続する構成としてもよい。これにより、保持部材４３の取付け部４５に対する向きを変更することができるので、表示装置本体４２に表示される放射線強度データの表示の向きを、使用者に対応した方向に変更することが可能となる。つまり、使用者が左右いずれかの腕に表示装置４０を取り付けたときに表示される数値、グラフなどの上下が逆になってしまった場合でも、表示装置本体４２を保持部材４３に保持された状態で取付け部４５から取り外し、表示装置本体４２の向きを変えて、再度、取付け部４５に取り付けることによって、表示される数値、グラフなどを使用者にとって読み取りやすくすることができる。また、取付け部４５に対して保持部材４３を回転可能に接続しても、保持部材４３の取付け部４５に対する向きが変更可能であるので、放射線強度データの表示の向きを変更することが可能となり、数値などを読み取りやすくすることができる。
【００２２】
次に、図６を参照して、本発明の第三の実施形態について説明する。本実施形態では、表示装置５０の支持部材５４は、テーブルなどの平面上に載置可能な設置台となっている。この支持部材５４は、下面が平面上に安定して載置可能な平面形状となっている基台部５６から２本の腕部５８が立設された形状であり、各腕部５８の先端に保持部６０が設けられている。表示装置本体５２は第一の実施形態の表示装置本体と同じものであり、その表示装置本体５２の突部６２を保持部６０にはめ込むことにより、設置台である支持部材５４により表示装置本体５２が回動可能に保持される。本実施形態においても、表示装置本体５２は回動可能であり、表示装置本体５２の姿勢を調節して、使用者等が見やすい方向に向きを変えることができる。
【００２３】
また、上述した第一から第三の実施形態に係る表示装置１０，４０，５０の表示装置本体１２，４２，５２は、支持部材１４，４４，５４と着脱可能に構成されているため、状況に応じて使いやすい支持部材を選択して付け替えて使用することができる。
【００２４】
次に、上述の表示装置１０，４０又は５０を備える放射線検出装置全体の回路構成について説明する。図７は、放射線検出装置のブロック図である。
【００２５】
プローブ６８により検出された放射線強度の出力信号は、ケーブルを介して放射線検出装置本体７０に入力される。入力回路７２は例えば増幅器などを有し、その入力回路７２にはプローブ６８からの出力信号が入力される。この入力回路には複数の入力端子が設けられており、必要に応じて複数のプローブ６８を並列接続させることもできる。入力回路７２から出力された検出信号は計測回路７４に出力され、この計測回路７４にて放射線の線量率などが計算される。その計測結果は制御部７６に出力される。そして、制御部７６から表示部７８に計測データが出力される。また、制御部７６からスピーカへ音声の信号が出力される。操作パネル８０は、入力装置として構成され、システムの動作条件や、表示部７８画面上の計測データの表示形式などを設定することができる。また、記憶手段８２は制御部７６から入力された計測データを記憶するために設けられている。
【００２６】
また、このとき同時に、別体の表示装置１０，４０又は５０に計測結果が出力され、表示装置１０，４０又は５０の表示部には計測結果の数値、グラフなどが表示される。
【００２７】
上述の放射線検出装置では、計測された放射線強度の計測値をスピーカより音声出力する構成となっている。以下に、この機能について説明する。
【００２８】
プローブ６８からの計測値出力は、一定周期で制御部７６に取り込まれる。制御部７６は計測値出力を計測回路７４から取り込むと、その計測値に対応した音声信号のデータを記憶手段８２から読み出す。そして、その音声信号をスピーカ８４に出力する。これにより、スピーカ８４は、例えば計測値が「１２３」であれば、「ひゃくにじゅーさん」と具体的な数値を読み上げる。この結果、放射線検出装置の周囲にいる人は計測値を知ることができる。特に作業者がプローブの操作に集中している場合、スピーカ８４からの計測値の読み上げにより、このような状況でも耳から音声情報として計測値を認識することができる。また、図２に示したように別体の表示装置１０，４０又は５０の内部にスピーカ２７を設け、そのスピーカ２７からこの音声出力を行ってもよい。このようにすれば、別体の表示装置１０，４０又は５０は放射線検出装置本体７０より放射線検査の作業者に近い位置にあるため、出力される音声が作業者にとってより聞きやすくなる。
【００２９】
なお、制御部７６は一つの計測値に対応した音声信号の出力が終わり、スピーカ８４からの計測値の読み上げが終了すると、次に、一定周期で取り込まれる計測値のうち、読み上げが終了してから始めに取り込まれた計測値に対応した音声信号のデータを記憶手段８２から読み出し、スピーカ８４にその音声信号を出力する。したがって、計測値の読み上げが終了すると、すぐに次の計測値の読み上げを開始する設定となっている。
【００３０】
なお、上記実施形態では、計測値の読み上げが終了すると、すぐに次ぎの計測値の読み上げが始まる設定であるが、一定周期で制御部７６に取り込まれる計測値が、所定回数取り込まれるうち一回だけを周期的に読み上げる設定としてもよい。
【００３１】
また、プローブ６８や放射線検出装置本体７０にボタンを設け、使用者によりこのボタンが押圧されると、制御部７６がその押圧を検知し、計測値を読み上げる設定としてもよい。また、このとき同時に押圧操作に応じて、制御部７６が計測値を記憶手段８２に記憶してもよい。
【００３２】
また、上述の放射線検出装置では、放射線検出装置本体７０の表示部７８、別体の表示装置１０，４０又は５０の表示部は、放射線検出装置を使用するユーザの指示した表示形式に従って放射線強度の計測データを表示する。ここで、表示形式とは、画面上に表示すべき計測データの現在値、最大値、最小値などの表示項目や、画面上に表示される計測データの位置や大きさなど、表示画面上での様々な表示に関する形式のことである。以下に、この機能について図７に示すブロック図と、図８に示す表示部７８の画面を参照して説明する。
【００３３】
放射線検出装置に設けられる操作パネル８０には、複数のＯＮ／ＯＦＦスイッチが設けられている。これらの複数のスイッチは、それぞれカレントレート（現測定値）、最大（ＭＡＸ）測定値、最小（ＭＩＮ）測定値、カレントレートのＢＡＲ表示、メモリに記録した最大測定値、最小測定値などの表示部７８上での表示／非表示を切り換えるスイッチである。これらのスイッチをＯＮ／ＯＦＦすることにより、制御部７６がそのＯＮ／ＯＦＦ状態を検知し、そのＯＮされたスイッチに対応するデータのみを表示部７８に出力して、その出力されたデータを表示部７８に表示させる。例えば、図８（ａ）に示す例では、プローブ６８のカレントレートと最大測定値のスイッチがＯＮされ、他のスイッチはＯＦＦされた状態であり、画面上にはカレントレートと最大測定値のみが表示される。また、図８（ｂ）に示す例では、プローブの最大測定値と最小測定値のスイッチがＯＮされ、他のスイッチはＯＦＦされた状態であり、画面上には最大測定値と最小測定値のみが表示される。
【００３４】
また、これらの表示部７８上での表示／非表示を切り替える複数のスイッチは、入力回路７２に入力可能な各プローブごとに設けられており、各プローブについて表示するデータを選択することができる。図８（ｃ）に示す例では、第一のプローブのカレントレート、最大測定値、第二のプローブのカレントレート、およびメモリに記録した測定値が表示されている。また、図８（ｄ）に示す例では、第一のプローブのカレントレート、第二のプローブのカレントレート、最大測定値、およびカレントレートのバー表示が表示されている。
【００３５】
また、本実施形態では、各プローブについて表示項目を選択すると、その表示される数値が画面上で大きく表示されるように各項目の表示レイアウト、即ち、表示される位置、表示される大きさが自動的に設定される。
【００３６】
本実施形態では、表示部７８での表示項目などの表示形式をユーザが指示して設定できるため、表示部７８上での表示を任意に設定できる。これにより、必要な項目のみを表示させ、表示を任意に見やすく設定することができる効果がある。
【００３７】
また、別の実施形態においては、表示部７８画面上での表示レイアウト、例えば、第一、第二のプローブのデータをそれぞれ表示部７８画面の上半分、下半分に表示する表示レイアウトや、または第一、第二のプローブのデータをそれぞれ左半分、右半分に表示する表示レイアウトなどの表示レイアウトをユーザが指示できるように構成してもよい。このように構成しても、ユーザが表示形式である表示レイアウトを指示し、画面に表示されるデータを自分の好みに応じて見やすく設定することができる。
【００３８】
なお、上記操作パネルは、液晶のタッチパネル式の操作パネルとしてもよい。タッチパネル上において、各プローブについての表示項目の表示／非表示を設定することにより、上記実施形態と同様に、表示部７８での表示項目、表示レイアウトなどの表示形式を設定することができる。
【図面の簡単な説明】
【図１】  第一の実施形態に係る放射線検出装置を示す斜視図である。
【図２】  第一の実施形態に係る放射線検出装置の表示装置を示す斜視図である。
【図３】  第一の実施形態に係る放射線検出装置の表示装置の使用状態を示す斜視図である。
【図４】  第二の実施形態に係る放射線検出装置の表示装置を示す斜視図である。
【図５】  第二の実施形態に係る放射線検出装置の表示装置の変形例を示す斜視図である。
【図６】  第三の実施形態に係る放射線検出装置の表示装置を示す斜視図である。
【図７】  第一、第二、第三の実施形態に係る放射線検出装置のブロック図である。
【図８】  表示形式がユーザにより指示されたときの表示部の画面を示す図である。
【符号の説明】
１０  表示装置、１２  表示装置本体、１４  支持部材、１６  ケース、１８表示部、２０  突部、２２  保持部材、２４  保持部、２６  取り付け部、２８  ソケット、３０  ケーブル、３２  コネクタ。
【図１】
0004234946.tif 000002
【図２】
0004234946.tif 000003
【図３】
0004234946.tif 000004
【図４】
0004234946.tif 000005
【図５】
0004234946.tif 000006
【図６】
0004234946.tif 000007
【図７】
0004234946.tif 000008
【図８】
0004234946.tif 000009